(57)【要約】【課題】  従来の移動式の衣服クローゼットの見栄えの悪さを解消した新規なカ簡易クローゼットに関するものである。【解決手段】  ハンガーバー４及び前面の化粧パネル７並びにキャスター５を具え移動可能な複数個のハンガーブロック１、１・・・を、そのそれぞれ化粧パネル７の上端背面を、部屋の一角に装着された上枠２０の前面に着脱自在に当接させ整列したことにより、殆ど工事らしい工事も必要とせず、素人でも簡単に組立てて簡単に設置することができ、大量の衣服も簡単に収納するようにでき、しかも、従来の移動式のもののように、ブロック全体が露出することもなく、化粧パネルですっきりと壁面状にカバーされるので、見栄えも良い。【選択図】図１
2006326146.tif 000002
【特許請求の範囲】
【請求項１】
ハンガーバー４及び前面の化粧パネル７並びにキャスター５を具え移動可能な複数個のハンガーブロック１、１・・・を、そのそれぞれ化粧パネル７の上端背面を、部屋の一角に装着された上枠２０の前面に着脱自在に当接させ整列して成ることを特徴とする簡易クローゼット装置。
【請求項２】
化粧パネル７と上枠２０とを磁石１９で着脱自在としたことを特徴とする請求項１に記載の簡易クローゼット装置。
【発明の詳細な説明】
【技術分野】
【０００１】
本発明は、部屋の片隅を簡単にクローゼットに改造できる簡易クローゼット装置に関するものである。
【背景技術】
【０００２】
従来から衣服を大量に収納するものとしてウオークインクローゼットがある。しかしながら、新築や大規模な増改築時には施工可能であるが、例えばマンションやアパートなどで簡単に施工はできない。そこで簡単にクローゼットを実現するものとして、ロータリークローゼットがあるが、どうしても部屋の一角にでしゃばった状態で置かれることになり、見栄えが悪い欠点があった。見栄えを重視すると、どうしても大規模な工事を避けることができないもので、コストも高く、借家住まいなどでは工事もし難い欠点があった。
【特許文献１】実開平５−７２２３２
【発明の開示】
【発明が解決しようとする課題】
【０００３】
本発明は、殆ど工事を要することなく、しかも見栄えの良い簡易クローゼット装置を提供するものである。
【課題を解決するための手段】
【０００４】
本発明の主たる特徴は、ハンガーバー４及び前面の化粧パネル７並びにキャスター５を具え移動可能な複数個のハンガーブロック１、１・・・を、そのそれぞれ化粧パネル７の上端背面を、部屋の一角に装着された上枠２０の前面に着脱自在に当接させ整列させたことである。
【発明の効果】
【０００５】
本発明にあっては、部屋の片隅に僅かな仕切り枠を取り付けるだけで、床の工事やレール工事が不要であって、簡単に衣服を収容できるクローゼットを設置できる。
【０００６】
また、各ハンガーブロックには前面に化粧パネルが施されているので、整列させた場合、化粧パネルが扉を構成し、内部が見えず、外観の向上を図ることができる。
【０００７】
更に、各ハンガーブロックが移動自在であるから、ハンガーブロックを前方に引き出して衣服の出し入れができて、奥のものでも簡単に出し入れできる。また、床に段差もなく、掃除も容易である。
【０００８】
しかも、ハンガーブロックを複数個並べるものであるから、幅に応じて個数を変えることにより、通常のモジュールでは、隙間なくピッタリと整列できる。
【発明を実施するための最良の形態】
【０００９】
以下本発明を添付図面に基づき詳細に説明する。図１は本発明の基本例を示すもので、ハンガーブロック１は一対の前、後脚２、３をハンガーバー４で連結したもので、下端にキャスター５が装着される。脚は前後２本の例を示しているが、間に補強のため追加してもよい。前、後脚２、３の下端間も必要に応じて下バー６で連結される。ハンガーバー４は本数、高さを変更して前、後脚２、３に架け渡すことができ、前、後脚２、３は各々何本かに分けて伸縮自在とすることができる。
【００１０】
化粧パネル７は、背面中央の上下方向の補強枠８に必要に応じて複数個のねじ穴９が施され、それに対応して前脚２に施された取り付け穴１０に通したビス１１をねじ穴９にねじ込むことにより前脚２の前面に取り付けることができる。
【００１１】
ハンガーバー４は前端に突出して施されたボルト部１２を前脚２のねじ穴１３にねじ込み、後脚３にもボルト部１４を施し、後脚３の通し穴１６に通してナット１５をねじ込んで固定する。勿論、他の取り付け方でも構わない。
【００１２】
化粧パネル７は図２のように前面に取っ手１７が施され、必要に応じて化粧パネル７の下端縁にもキャスター１８が施される。また化粧パネル７の上端裏面にはマグネットキャッチ１９が施される。
【００１３】
他方、部屋の一角の本発明のハンガーブロック１を設置する部分には、スチール製の上枠２０が掛け渡され、ハンガーブロック1をその上枠２０の下に収納するもので、キャスター５によりハンガーブロック１を移動させ、化粧パネル７のマグネットキャッチ１９を上枠２０に磁着させる。上枠２０がスチール製でない場合は、化粧パネル７をスチール製にして上枠２０にマグネットキャッチ１９を取付けても良い。勿論、上枠２０と化粧パネル７とのロックは、マグネットキャッチ以外の任意の方法で着脱自在とすることができる。
【００１４】
また、図３のように上枠２０は伸縮自在とすることができる。例えば右片２１に左片２２を伸縮自在に差し込んで上枠２０を構成することができる。この場合、部屋の壁幅に応じて寸法を決めれば調節ねじ２３で上枠２０の幅を固定し、取り付け片２４、２５をねじ２６、２７で壁に装着することができる。尚、この上枠２０は周知の突っ張りポールで構成しても良い。また、上枠２０の左右より袖枠２８、２９を垂下しても構わない。
【００１５】
このようにして上枠２０を設置し、その幅に応じて必要な個数のハンガーブロック１を組み合わせるものである。またハンガーブロック１に加えて、キャスター５付きの任意の収納ブロック３０を組み合わせることもできる。図４はその一例で、衣服用の収納棚３１、３１・・・を有する収納ブロック３０の例である。
【００１６】
本発明にあって、基本的な使用方法は、部屋の設置しようとする間口に応じた個数のハンガーブロック１を用意し、図５のように部屋の上端に上枠２０を掛渡し、キャスター５でハンガーブロック１を前後左右に移動させ、収納状態では図６のように化粧パネル７を左右整列させて壁面を形成することができる。この場合、化粧パネル７の幅は、一般的なモジュールの整数分の１としておくのが良い。例えば、１８０センチのモジュールであれば、９０センチか４５センチ、メートルモジュールであれば、５０センチ刻みの幅にしておくと左右に隙間が生じ難い。多少左右に隙間が生じた場合も、左右に袖枠２８、２９を設置しておくと吸収できる。
【００１７】
また、ハンガーバー４は、設置の高さと本数を調整することができるもので、図７のように上端に1本だけ設置するときはロングコート用、図８のように２段にするときは大人の背広や婦人服、スカートやズボン用、子供用の場合は図９のように３段にハンガーバー４を設置して吊るすようにすることができる。
【産業上の利用可能性】
【００１８】
本発明にあっては、殆ど工事らしい工事も必要とせず、素人でも簡単に組立てて簡単に設置することができ、大量の衣服も簡単に収納するようにできる。  しかも、従来の移動式のもののように、ブロック全体が露出することもなく、化粧パネルですっきりと壁面状にカバーされるので、見栄えも良い。したがって、一般戸建の部屋は勿論、改造の困難なアパートやマンションでも簡単に設置することができる利点がある。
【図面の簡単な説明】
【００１９】
【図１】本発明の一実施例のハンガーブロックの分解斜視図。
【図２】同上の化粧パネルの斜視図。
【図３】同上の設置部分の上枠の取り付け状態を示す斜視図。
【図４】同上に組み合わせることができる他の収納ブロックの一例の斜視図。
【図５】同上の設置状態を示す斜視図。
【図６】同上の収納状態に一例に正面図。
【図７】同上のハンガーパネルの１本の使用例の側面図。
【図８】同上のハンガーパネルの２本の使用例の側面図。
【図９】同上のハンガーパネルの３本の使用例の側面図。
【符号の説明】
【００２０】
１    ハンガーブロック
４    ハンガーバー
５    キャスター
７    化粧パネル
１９  磁石
２０  上枠
【図１】
2006326146.tif 000003
【図２】
2006326146.tif 000004
【図３】
2006326146.tif 000005
【図４】
2006326146.tif 000006
【図５】
2006326146.tif 000007
【図６】
2006326146.tif 000008
【図７】
2006326146.tif 000009
【図８】
2006326146.tif 000010
【図９】
2006326146.tif 000011